(57)【要約】【課題】            シートシャッターの近傍の温度その他の環境条件下を良好に保つ。【解決手段】        この発明のシートシャッターフレームは、シート４を上下方向に巻取り繰り出しするシートドラム６を回転可能に収容する左右方向のシートケース２と、該シートケース２の左右両端に下向きに設置され上記シートケース２を左右両端で支持するとともにシート４の両端を収容して昇降をガイドする中空断面のサイドフレーム３とからなるゲート状のシャッターフレーム１において、上記シートケース２内部とサイドフレーム３の中空部を連通させてフレーム内をエアの流通路とし、該エアの流通路にエア供給部２８を設けたことを特徴としている。  そして、エアの流通路に流通するエアを加温し又は冷却する温度調節装置を接続し又は設置し、さらにエアの流通路に流通するエアにオゾン，薬剤その他の消毒又は殺菌剤を付与する浄化装置３６を接続し又は設置する。【選択図】          図２
2018145658.tif 000002
【特許請求の範囲】
【請求項１】
シート（４）を上下方向に巻取り繰り出しするシートドラム（６）を回転可能に収容する左右方向のシートケース（２）と、該シートケース（２）の左右両端に下向きに設置され上記シートケース（２）を左右両端で支持するとともにシート（４）の両端を収容して昇降をガイドする中空断面のサイドフレーム（３）とからなるゲート状のシャッターフレーム（１）において、上記シートケース（２）内部とサイドフレーム（３）の中空部を連通させてフレーム内をエアの流通路とし、該エアの流通路にエア供給部（２８）を設けたシートシャッターフレームの通気機構。
【請求項２】
シートケース（２）内の一端で中空のシートドラムの一端を回転可能に軸支するドラム軸（１３）内の中空部とサイドフレーム（３）内の中空部とを連通パイプ（３４）で接続し、上記ドラム軸（１３）とシートドラム（６）の内部を介してシートケース（２）内部とサイドフレーム（３）内の中空部を連通させた請求項１に記載のシートシャッターフレームの通気機構。
【請求項３】
サイドフレーム（３）の中空部の内側壁に内向きに開口するエア流通部（３１）を設け、シート面に沿うようにエアを噴出させる機構とした請求項１又は２に記載のシートシャッターフレームの通気機構。
【請求項４】
左右のサイドフレーム（３）の両側にエア流通部（３１）を設け、一方の側のエア流通部（３１）よりエアを噴出させ、他方の側のエア流通部（３１）よりエアを吸引させる機構とした請求項３に記載のシートシャッターフレームの通気機構。
【請求項５】
エアの流通路に流通するエアを加温し又は冷却する温度調節装置を接続し又は設置した請求項１〜４のいずれかに記載のシートシャッターフレームの通気機構。
【請求項６】
エアの流通路内にシートシャッターの作動を制御するコントローラ（２３）を収容して設置した請求項１〜５のいずれかに記載のシートシャッターフレームの通気機構。
【請求項７】
エアの流通路に、流通するエアにオゾン，薬剤その他の消毒又は殺菌剤を付与する浄化装置（３６）を接続し又は設置した請求項１〜６のいずれかに記載のシートシャッターフレームの通気機構。
【請求項８】
シートケース（２）にシートケース（２）内のシート（４）に紫外線を照射する紫外線照射装置を設置してなる請求項１〜７のいずれかに記載のシートシャッターフレームの通気機構。
【請求項９】
サイドフレーム（３）の下端側にシート（４）の下端に対してエアを内向きに噴出する内向きのエア噴出部を設けた請求項１〜８のいずれかに記載のシートシャッターフレームの通気機構。
【請求項１０】
シートドラム（６）の周面に軸心方向に沿ってシート（４）の上端を固着し、該シート（４）の下端を接地させた状態で上記シート（４）の上端側をシートドラム（６）の周面を覆うように少なくとも１周以上巻付け、重なり合った内層側のシート（４）の外周面と外周側のシート（４）の内周面とを固着したシートシャッターフレームの通気機構。
【発明の詳細な説明】
【技術分野】
【０００１】
この発明はシートシャッターフレームの通気機構に関する。
【背景技術】
【０００２】
従来工場や倉庫の出入口又は部屋同士の仕切りとして使用されるシートシャッターは、例えば特許文献１に示すようにシートドラムを収容するシートケースの両側に中空のサイドフレームを下向きに設けたゲート状のフレームを構成しており、シートケースから繰出し昇降するシートの両端はサイドフレームにガイドされているのが一般的な構成である。
【０００３】
また、シートシャッターはスチールシャッターとは別に工場等の出入口に採光と風除け、空調保持を兼ね、リフトその他の車両や作業員等の出入りに際して高速昇降（特に上昇時）させるほか、食品その他の加熱処理や加熱加工する工場又は塗装ブース等のように、例えば室温が６０〜８０℃に達する高温環境で使用する場合や、冷凍食品の貯蔵庫等のように−４０℃に達する低温環境で使用される場合もある等、厳しい環境条件の下で使用される場合が多くなっている。
【先行技術文献】
【特許文献】
【０００４】
【特許文献１】特開２０１６−２１６９５６号公報
【発明の概要】
【発明が解決しようとする課題】
【０００５】
これに対し、シートシャッターはいずれの環境にも対応できるように、耐久性のあるフレキシブルな樹脂製シートやプラスチック成形されたサイドフレーム（シートガイド）等が使用されているが、上記のような厳しい温度条件下での高速作動は、シートやシートガイドの劣化が激しいほか、高温下ではシート表面のネバ付きにより塵埃の付着や巻取り繰り出し時の抵抗の増大やマイコンを用いたコントローラの作動不良等が生じ易い。
【０００６】
また低温条件下の使用もシートの硬化による昇降時の負荷の増大や、コントローラ等に使用する素子によっては−２０℃以下では機能が不十分になるものがある等の問題がある。上記のような問題は、長期的にはシートシャッターの補修や修理、保守点検等のメンテナンスの頻度を高くする必要を招くという新たな課題を生じている。
【課題を解決するための手段】
【０００７】
上記課題を解決するための本発明のシャッターフレームの通気機構は、第１にシート４を上下方向に巻取り繰り出しするシートドラム６を回転可能に収容する左右方向のシートケース２と、該シートケース２の左右両端に下向きに設置され上記シートケース２を左右両端で支持するとともにシート４の両端を収容して昇降をガイドする中空断面のサイドフレーム３とからなるゲート状のシャッターフレーム１において、上記シートケース２内部とサイドフレーム３の中空部を連通させてフレーム内をエアの流通路とし、該エアの流通路にエア供給部２８を設けたことを特徴としている。
【０００８】
第２に、シートケース２内の一端で中空のシートドラムの一端を回転可能に軸支するドラム軸１３内の中空部とサイドフレーム３内の中空部とを連通パイプ３４で接続し、上記ドラム軸１３とシートドラム６の内部を介してシートケース２内部とサイドフレーム３内の中空部を連通させたことを特徴としている。
【０００９】
第３に、サイドフレーム３の中空部の内側壁に内向きに開口するエア流通部３１を設け、シート面に沿うようにエアを噴出させる機構としたことを特徴としている。
【００１０】
第４に、左右のサイドフレーム３の両側にエア流通部３１を設け、一方の側のエア流通部３１よりエアを噴出させ、他方の側のエア流通部３１よりエアを吸引させる機構としたことを特徴としている。
【００１１】
第５に、エアの流通路に流通するエアを加温し又は冷却する温度調節装置を接続し又は設置したことを特徴としている。
【００１２】
第６に、エアの流通路内にシートシャッターの作動を制御するコントローラ２３を収容して設置したことを特徴としている。
【００１３】
第７に、エアの流通路に、流通するエアにオゾン，薬剤その他の消毒又は殺菌剤を付与する浄化装置３６を接続し又は設置したことを特徴としている。
【００１４】
第８に、シートケース２にシートケース２内のシート４に紫外線を照射する紫外線照射装置を設置してなることを特徴としている。
【００１５】
第９に、サイドフレーム３の下端側にシート４の下端に対してエアを内向きに噴出する内向きのエア噴出部を設けたことを特徴としている。
【００１６】
第１０に、シートドラム６の周面に軸心方向に沿ってシート４の上端を固着し、該シート４の下端を接地させた状態で上記シート４の上端側をシートドラム６の周面を覆うように少なくとも１周以上巻付け、重なり合った内層側のシート４の外周面と外周側のシート４の内周面とを固着したことを特徴としている。
【発明の効果】
【００１７】
本発明は以上のように構成される結果、以下のような効果を奏する。
（１）ゲート状のフレームを構成するシートケースと左右のサイドフレームの中空断面部が連通していて、エア供給部から供給され流通するエアにより、外気が常温であっても、シートシャッターによって仕切られた内部が低温の場合も高温の場合もシャッターフレームは勿論、高温又は低温環境下のシートケース内のドラムやシートがより好条件に保たれる結果、温度変化による不都合を防止できるほか、シートシャッターの使用環境に応じて、温風や冷風又は殺菌機能をもたせたエアを供給するための諸装置の設置や接続が可能になる。
【００１８】
（２）ドラム軸の中空部とサイドフレームの中空部を連通パイプで接続することにより、ドラム内部にエアを流通させてドラム自体とドラムに巻取られたシートの温度調節が可能となり、左右両側のサイドフレームからエア供給した場合は、ドラムの内外両方からの温度調節がさらに効率的にできる。
【００１９】
（３）サイドフレームの内側のエア流通孔よりシート面に沿うようにエアを噴出させる機構により、シート面がより確実に温度調節できる他、シート面への埃の付着、結露の着霜の防止が行われ、シートの温度調節の効果も高い。
【００２０】
（４）左右のサイドフレームの一方のエア流通孔からエアを噴出させ、他方の流通孔から吸引させることにより、シートの全幅にわたって上記（３）の効果がさらに確実になる。
【００２１】
（５）温度調節装置により流通路内を流通するエアの温度調節がされるので、シートやフレームに供給されるエアを必要に応じて加温又は冷却することができ、シートシャッターの高温下で生じる不都合にはエアの冷却により、低温下で生じる不都合には加温により対応することができる。
【００２２】
（６）エアの流通路内の通風環境下にコントローラを設置することにより、高温の場合はエアを冷却し、極端に低温の場合は加温によりコントローラの正常な機能を維持でき、外部から閉鎖された流通路への設置により、衝撃などによるコントローラのトラブルの防止もできる。
【００２３】
（７）流通するエアに消毒又は殺菌機能を付与することができるので、シートシャッター表面又はその周辺への消毒殺菌を行うことができ、シートシャッターの内側の建物内の清浄雰囲気を保つことができ、食品や精密機器，製品，部品等への不純物の混入や付着を防止することができる。
【００２４】
またシートケース内に紫外線照射装置を設けることにより、巻取り繰り出し作動されるシートの内外表面を紫外線消毒することができ、シートシャッターへの雑菌類が付着することによる建物内部環境の悪化を防止することができ、短期的な消耗品も不要である。
【００２５】
（８）サイドフレームの下端側にシートの下端に対して、エア噴出部により内向きのエアを噴出させることによってゴキブリその他の歩行虫の内部への侵入を防止することができる。
【００２６】
（９）シートを閉じた状態でもシートドラムの外周全体がシートに覆われているので、シートドラムを組立状態で固着するボルトやベルト、その他のドラム側の部品や固形物が、床面側や下部を通過する製品類に落下し又はこれらに混入するのを防止できる。
【図面の簡単な説明】
【００２７】
【図１】本発明のシートシャッターの全体正面図である。
【図２】同じくシートシャッターの全体拡大正面図である。
【図３】シートケース及びシートドラムの左側面断面図である。
【図４】シートケース及びシートドラムの右側面断面図である。
【図５】シートドラムへのシート巻付状態を示す左側面図である。
【図６】シート上端のシートドラムへの取付状態と巻付状態を示す左側面図である。
【図７】（Ａ），（Ｂ）は左右のサイドフレームの水平方向の拡大断面図である。
【発明を実施するための形態】
【００２８】
図面はいずれも本発明の１実施形態を示し、図１に示すようにシートシャッターは全体としてゲート状のシャッターフレーム１が、上端の四角形の中空断面でボックス状に組立てられる横長のシートケース２と、該シートケース２の左右端を下方から支える上下方向のサイドフレーム３とで構成されている。シートケース２内にはシート４を巻取り繰り出しする横長のシートドラム６が正逆回転駆動可能に軸支されている。
【００２９】
各サイドフレーム３は、建物の一部（柱部材）を兼ね又は図示するように建物と独立して背面側に立設される支柱７と、該支柱７の正面側に沿って取付けられる合成樹脂製の左右のシートガイド８ａ，８ｂとで構成されている。支柱７自体が建物の柱部材とは別に設けられる場合は、支柱７自体が柱部材に対して取付けられるプラスチック製の部材より構成される。
【００３０】
図７に示すように支柱７とシートガイド８ａ，８ｂは共に四角形の中空部材として形成され、両者は着脱可能に全体として一体的な角柱パイプとして組立てられている。シートガイド８ａ，８ｂは後述するようにシートドラム６によって昇降開閉するシート４の昇降をガイドする。シート４の下端にはウェイト（図示しない）を内蔵して下降に際し弾力的に床面に接地する接地部５が略全幅にわたって設けられている。
【００３１】
シートドラム６は図２，図５に示すように略正１２角形断面の筒状に形成され、左右端側内部に一対の皿状断面の側面視１２角形のデスク９，９が内挿されるとともに、シートドラム６の周壁は４個に分割形成された筒状片６ａの断面端部がデスク９の外周に沿って順次重ね合わされてボルト１１によって一体的に締結され形成されている。そして左側デスク９はその周壁同士が突合わされ皿底部分が一定間隔を介して締着固定されて縦断面で長方形に形成されており、右側デスク９は皿底部分が重ね合わされて縦断面でＨ型断面に形成されている。
【００３２】
上記左側の太鼓状のデスク中心には中空の軸受管１２が挿通して固着されるとともに、この軸受管１２は、シートケース２の左端板２ａの略中心位置より内向きに突出するように支持されている中空のドラム軸１３に回転及び左右スライド自在に挿通されて軸支されている。このドラム軸１３の外端は上記端板２ａに内向きに突設されたチャンネル状断面の軸受金具１４に収容され、前後方向のセットピン１６を挿入することによって回転規制を受けて着脱可能にセットされている。
【００３３】
他方、シートドラム６の右端はシートケース２の右端板２ｂの中心に内向きに取付けられている駆動モーター１７の先端と、ドラム内を縦断するように設けられたデスク９とが締着固定されて支持されている。その結果シートドラム６はシートケース２の略中心位置に回転可能に軸支される。シートケース２内にシートドラム６を取付ける際も予めモーター１７を取付けた状態でモーター１７の基端部の上端を端板２ｂ側に仮止めし、ドラム軸１３を軸受管１２に挿入し、ドラム軸１３を軸受金具１４に収容してドラムの左端を支持しながらモーター１７を右端板２ｂに締着固定することによって簡単に取付けることができる。
【００３４】
またシート４の上端は図５，図６に示すように、隣接する筒状片６ａ同士の重なり合う部分に挟持された状態で前記ボルト１１により筒状片６ａとともに締着固定されており、さらにシート４は下端が接地する下限位まで繰り出された状態でも、シートドラム６の全周がシート４によって覆われるように、シート４が予め１周以上巻付けられている。そしてこの巻付状態を固定的に保持するために、１周以上巻付けた位置の表面側のシート４の裏面と下層のシート４の表面との間は、例えば両面テープ，接着剤又は面ファスナー等からなる固着部材１８によって着脱可能に固着されている。
【００３５】
上記シート基端部による巻付けによって、ボルト１１等の固着具が緩み等によって外れた時でも、下方への落下が防止され、工場や倉庫等で取扱われる製品への不純物の混入等が防止される。
【００３６】
さらに、前記皿状デスク９の周壁とデスク部折曲がりのコーナーには、図２〜図６に示すように複数の通気孔９ａが穿設されるほか、軸受管１２とドラム軸１３との重なり合う位置には、ドラム回転中もドラム軸１３の中空部と軸受管１２の外周が連通するように通気孔１９（図２参照）が穿設されていて、後述するようにいずれの通気孔９ａ，１９もシートケース６内のエアの流通路の一部を構成している。
【００３７】
左右のサイドフレーム３は図７に示すように共に同一左右幅の長方形又は正方形で中空断面の左右の支柱７と、左右のシートガイド８ａ又は同８ｂとがボルト２１によって前後方向に重ねて固定されており、シートガイド８ａ，８ｂは図示するように左右対称に区画された中空断面を形成している。
【００３８】
この中空部は背面側で最も大きい断面積を有し後方内側が開放されているガイド室Ｃ１と、正面側に全幅にわたって横長の略長方形に形成される収容室Ｃ２と、シートガイド８ａ，８ｂの内側に面し、前後両側と外側がガイド室Ｃ１と収容室Ｃ２とに囲まれた小断面積の通気室Ｃ３とで構成され、シートガイド８ａ，８ｂには合成樹脂製の押出成形品が使用されている。
【００３９】
上記収容室Ｃ２の正面側は上下方向の開口部を備え、合成樹脂製の蓋２２が着脱可能に取付けられ、右側シートガイド８ｂの収容室Ｃ２の内部には縦長の直方体形状に形成されたシートシャッター制御用のコントローラ２３が挿脱可能に収容されており、コントローラ２３の左右両側はエア供給可能な流通路となっている。また中空部のガイド室Ｃ１，収容室Ｃ２，通気室Ｃ３はいずれも内部は上下端の間で空気の流通が可能な構造となっている。２０はガイド室Ｃ１と収容室Ｃ２間を連通させる通気孔（又は溝）で両室間のエアの流通を可能にし、右シートガイド８ｂに収容したコントローラ２３の冷却にも有効に作用する。
【００４０】
ガイド室Ｃ１の内向きの開放部（溝）には先端（内側）側にガイド溝２４ａを形成したＣ型断面の合成樹脂製のガイド部材２４が上下方向の略全長にわたって左右スライド可能に収容されており、このガイド部材２４は内部にスプリング（図示しない）を収容し、常時ガイド部材２４を外向きに弾力的に牽引しているシリンダー２６に取付けられ、シリンダー２６は固定ブラケット２７を介してガイド室Ｃ１内に固定的に取付けられている。
【００４１】
他方シート４の左右両端にはシート４の両端部を構成し、上下方向に帯状の弾力性に富んだ合成樹脂材よりなる端部材４ａが接合して取付けられ、該端部材４ａの外端には、上記ガイド部材２４内に上下方向から挿入される上下方向に棒状の係合突起４ｂが形成されており、ガイド溝２４ａを介してシート４が左右方向に弾力的に伸展された状態でガイド部材２４に案内されながら昇降する構造となっている。またシート４に強い外力が作用した時は、シリンダー２６内の弾力に抗してガイド部材２４が弾力的に開いて係合突起４ｂがガイド部材２４より外れ、シート４やガイド部材２４の破損が防止される。
【００４２】
シートガイド８ａ，８ｂの下端側には、外側面よりガイド室Ｃ１を貫いてエアパイプ２８がエア供給部として挿入され、ニップル２９を介して通気室Ｃ３に開口している。この機構により通気室Ｃ３には外部からエアを導入することができ、通気室Ｃ３の下端を閉塞することにより導入エアは上方の開口部に向って放出され、後で述べるようにシートガイド８ａ，８ｂを介して圧縮エアをシートケース２内に送ることができる。同様の機構を用いてガイド室Ｃ１，収容室Ｃ２にもエア供給を行うことができる。
【００４３】
また各通気室Ｃ３の内側の壁部に所定ピッチで複数のエア流通部となる通気孔（ノズル孔）３１を穿設することにより、シート４の片面に沿って常時エアを吹き付けることができ、エア面への粉塵の付着を防止することができる。上記エア供給は、中空の支柱７を通じても可能であり、支柱７の内側にシート４に沿ってエアを噴出するノズル又はノズル孔（いずれも図示しない）を設けることも可能であり、いずれの場合も冷凍庫や冷凍倉庫等におけるシート面への霜の付着を防止するのに有効である。
【００４４】
図２その他に示す左シートガイド８ａの通気室Ｃ３の上端と、軸金具１４及びドラム軸１３の下側重なり位置に設けた通気孔３２との間をニップル３３を介して連通パイプ３４によって接続しており、この機構では通気室Ｃ３に供給されたエアは連通パイプ３４によってドラム軸１３内の中空部に送られ、その中空部の内端（開放端）通気孔１９，通気孔９ａ等のエア流通路を介してシートドラム６内に送られ、さらにシートドラム６の左右の左右の端部からシートケース２内全域に送られる。
【００４５】
他方、右側シートガイド８ｂ内の通気室Ｃ３の上端は直接シートケース２の底部に開口しているため、通気室Ｃ３に導入されたエアは直接シートケース２内に送り込まれ、両方から供給されたエアは、シートケース２の底部後方のシート繰り出し口２ｂのシート４の前後両面側からエアカーテン状に吹き出される。
【００４６】
図示する例では左右のシートガイド８ａ，８ｂの両方からエア供給を行う構造にしているが、いずれか一方を供給側、他方の側を排出側にすることも可能である。また、近時は特許文献１の図２に示すようにシートの下端の接地部がチューブ状に形成され、内部には左右に貫く中空部が形成されているタイプのものが使用されているが、このタイプのものでは、接地部５の両側に開口部を設け、両側の通気室Ｃ３の下端内側にノズル孔又はノズル等のエア噴出部を開口部に向けて設けることにより、チューブ状内部に加圧エアを供給することも可能である。このことにより接地部５に弾力性を与え、床面に凹凸が生じた場合でも、凹凸に応じて変形し接地によるシール性を高めることができる。
【００４７】
その他シートガイド８ａ，８ｂの下端側にノズル孔やノズル等のエア噴出部を設け、シート４の接地部５と床面に向って該エア噴出部から加圧エアを両側より吹き付けることにより、シートシャッター内側へのゴキブリその他の歩行虫の侵入を防止することができる。
【００４８】
本発明の上記のような構成においては、シートシャッターのフレーム内部にエアを流通させることができるので、例えば食品その他の製品の焼成工場、加温工場又は高温下の塗装工場等のように、高温環境でシートシャッターが使用され、シート自体やコントローラ等の制御機器、高温耐性の乏しい素子を用いた電子部品等が高温による不都合を生じる場合は、それぞれのケースに応じた冷却エアを供給することにより上記不都合を解消又は改善することができる。なお、図示しないがサイドフレーム３内を効果的なエア流通路とするには、その中空部の少なくとも下端はエアの流出を防ぐように閉塞することが望ましい。
【００４９】
他方、冷凍室や冷凍倉庫等のような極端な低温下で使用するシートシャッターの場合は、低温によって不具合を招くシートや電子部品又は素子等に対し、常温又は加温されたエアを供給することにより、低温によって生じるシートシャッターの不具合を解消又は改善することができる。
【００５０】
上記のように供給するエア自体を外部のヒーターや冷却装置等の温度調節装置によってエアを予め加熱し又は冷却する場合のほか、例えばシートケース２にこれらの装置を付設して流通エアの温度調節を行う場合のほか、シートケース２内に設置して温度調節を行うことも可能である。但し、冷却機を内蔵する場合はシートケースを大型化する必要がある。
【００５１】
またエアの温度調節以外に、たとえば図３に示すようにシートケース２内にオゾン発生器，殺菌力又は消毒性のあるガス又は霧状の薬剤を供給する浄化装置３６を設置し、流通するエアに消毒・殺菌機能を付与し、シートシャッターのシートやシートケースその他の部分の殺菌や虫除けを行うことも可能である。
【００５２】
その他例えば浄化装置３６に代えて紫外線照射装置（図示しない）を同位置に設置し、巻取り繰り出しされるシート４の表面及び裏面に紫外線照射を行い、シート自体の殺菌・消毒を行うことも可能であり、同時に流通するエアの殺菌もできる。
【符号の説明】
【００５３】
１    シャッターフレーム
２    シートケース
３    サイドフレーム
４    シート
５    接地部
６    シートドラム
７    支柱
８ａ，８ｂ    シートガイド
９    デスク
９ａ  通気孔
１２  軸受管
１３  ドラム軸
１４  軸受金具
１７  モーター
１８  固着部材
１９  通気孔
２３  コントローラ
２８  エア供給部（エアパイプ）
３１  エア流通部（ノズル孔）
３６  浄化装置
【図１】
2018145658.tif 000003
【図２】
2018145658.tif 000004
【図３】
2018145658.tif 000005
【図４】
2018145658.tif 000006
【図５】
2018145658.tif 000007
【図６】
2018145658.tif 000008
【図７】
2018145658.tif 000009